(57)【要約】【課題】  ユーザの好みに合った画像処理のためのルックアップテーブルを簡単に作成することを目的とする。【解決手段】  デジタルカメラにより取得した画像データに対し、使用したデジタルカメラの階調特性、画像データを印刷するプリンタの階調特性および目標とする入出力の総合階調特性からルックアップテーブルを作成する手段と、前記ルックアップテーブルを用いて前記画像データに階調変換処理を施す手段とを備えた画像処理装置であって、前記総合階調特性を作成する情報を記憶する記憶手段と、前記記憶手段に記憶された情報をもとに前記ルックアップテーブルを作成する作成手段と、前記総合階調特性を作成する情報をユーザが編集する編集手段とを有する構成とする。【選択図】  図１１
2007159029.tif 000002
【特許請求の範囲】
【請求項１】
デジタルカメラにより取得した画像データに対し、使用したデジタルカメラの階調特性、画像データを印刷するプリンタの階調特性および目標とする入出力の総合階調特性からルックアップテーブルを作成する手段と、
前記ルックアップテーブルを用いて前記画像データに階調変換処理を施す手段とを備えた画像処理装置において、
前記総合階調特性を作成する情報を記憶する記憶手段と、
前記記憶手段に記憶された情報をもとに前記ルックアップテーブルを作成する作成手段と、
前記総合階調特性を作成する情報をユーザが編集する編集手段とを有することを特徴とする画像処理装置。
【請求項２】
請求項１に記載の画像処理装置において、
前記記憶手段は、パラメータとして少なくとも印刷に使用する用紙の情報を含み、前記パラメータから総合階調特性における中間調の傾きを決定する情報を記憶することを特徴とする画像処理装置。
【請求項３】
デジタルカメラにより取得した画像データに対し、使用したデジタルカメラの階調特性、画像データを印刷するプリンタの階調特性および目標とする入出力の総合階調特性からルックアップテーブルを作成する工程と、
前記ルックアップテーブルを用いて前記画像データに階調変換処理を施す工程とを有する画像処理方法において、
前記総合階調特性を作成する情報を記憶する記憶工程と、
前記記憶工程に記憶された情報をもとに前記ルックアップテーブルを作成する作成工程と、
前記総合階調特性を作成する情報をユーザが編集する編集工程とを備えたことを特徴とする画像処理方法。
【請求項４】
請求項３に記載の画像処理方法をコンピュータに実行させるためのプログラム。
【発明の詳細な説明】
【技術分野】
【０００１】
本発明は、画像処理のためのルックアップテーブルの作成に関するものである。
【背景技術】
【０００２】
デジタルカメラ、およびプリンタの高画質化に伴い、家庭で写真をプリントするユーザが増加しつつある。また、ＰＣを使用せず、デジタルカメラとプリンタを直接接続することでより簡便に印刷するカメラダイレクトという新たな需要も注目されている。このような背景の下、さらなる高画質化を目指し、デジタルカメラとプリンタを合わせた総合的な画質、あるいは色再現をよりユーザの好みにあったものにする技術の開発が進んでいる(例えば特許文献１参照)。
【特許文献１】特開平１１−１３６５０４号公報
【発明の開示】
【発明が解決しようとする課題】
【０００３】
しかしながら、文献１で挙げた発明は、ＲＧＢ、あるいはＣＭＹの複雑な３次元ルックアップテーブルを多用するため、メモリの使用量が増大する、ユーザ自身が複雑なルックアップテーブルをカスタマイズすることは非常に困難であるという問題がある。また、プリンタの出力可能な明度範囲は、印刷する用紙などに大きく依存するため、どのような用紙においてもユーザの好みにあった色再現で写真を印刷するためには、複雑なルックアップテーブルを用紙ごとにカスタマイズしなければならないという課題がある。
【０００４】
よって、本発明は、ユーザの好みに合った画像処理のためのルックアップテーブルを簡単に作成することを目的とする。
【課題を解決するための手段】
【０００５】
上記目的を達成するために、本発明は、デジタルカメラにより取得した画像データに対し、使用したデジタルカメラの階調特性、画像データを印刷するプリンタの階調特性および目標とする入出力の総合階調特性からルックアップテーブルを作成する手段と、前記ルックアップテーブルを用いて前記画像データに階調変換処理を施す手段とを備えた画像処理装置において、前記総合階調特性を作成する情報を記憶する記憶手段と、前記記憶手段に記憶された情報をもとに前記ルックアップテーブルを作成する作成手段と、前記総合階調特性を作成する情報をユーザが編集する編集手段とを有することを特徴とする。
【発明の効果】
【０００６】
本発明によれば、ユーザの好みに合った画像処理のためのルックアップテーブルを簡単に作成することが出来る。
【発明を実施するための最良の形態】
【０００７】
次に、本発明の詳細を実施例の記述に従って説明する。
【０００８】
以下図面を参照して本実施例を説明する。
【０００９】
図１は、本実施例を示すブロック図である。図１に示すように本実施の形態によるシステム構成は、デジタルカメラで被写体を撮影することにより取得された画像を記憶した記録媒体から画像データをシステムに入力するための画像入力部１０１、入力と出力を合わせた総合的な階調再現性を最適化するよう画像データの階調特性を変換する階調変換部１０２、階調変換に使用するルックアップテーブルを作成するテーブル作成部１０４、テーブルを作成するための情報が記憶されているテーブル作成情報記憶部１０５、撮影に使用したデジタルカメラの機種あるいは画像データを印刷するプリンタの機種などを選択するプリント情報入力部１０８、複数のデジタルカメラの種別ごとにそれぞれの階調特性が記憶されているカメラ階調テーブル記憶部１０６、複数のプリンタの種別ごとにそれぞれの階調特性が記憶されているプリンタ階調テーブル記憶部１０７、画像データを記憶媒体に出力する画像出力部１０３を備え、さらに、テーブル作成部１０４にて作成されたテーブルを編集するテーブル編集部１１１を備えている。
【００１０】
デジタルカメラで撮影された画像データは、PCのハードディスクなどの記憶媒体に記録されており、通常JPEG等の所定の形式で圧縮されている。画像入力部１０１において、この記録媒体に記録された画像データのファイルから画像データが取得される。このとき画像データは圧縮方式に対応した所定のアルゴリズムで伸長され、RGB３チャンネルの二次元画素配列からなる画像データS0に展開される。
【００１１】
次に、画像データS0を取得する際に使用したデジタルカメラの種別、および印刷に使用するプリンタの機種や用紙をユーザが選択し、ＰＣのキーボード等でその選択内容を入力することによりプリント情報入力部１０８において、デジタルカメラ機種、プリンタ機種、用紙等が選択される。プリント情報入力部１０８におけるデジタルカメラの種別、撮影モードの選択は、例えば図１３に示すメニューからユーザに選択させるような方法とすることができる。ここで、メニュー１３０１はデジタルカメラ機種を選択するメニューである。また、メニュー１３０２はメニュー１３０１で選択されたデジタルカメラ種別における撮影モードを選択するためのメニューであり、その項目はデジタルカメラ種別により異なる。但し、画像データのタグ情報等からこれらの情報を読み取り可能な場合は、タグ情報等から自動的に取得する方法をとることができる。
【００１２】
カメラ階調テーブル記憶部１０６にはあらかじめ複数のデジタルカメラの種別、あるいはデジタルカメラの撮影モードごとの階調特性が記憶されている。例えば図１３に示すデジタルカメラCの場合には、ストロボのON/OFF、ISO感度の設定、撮影モードの設定に応じてあらかじめ階調特性が異なる場合であり、これらの各設定に基づいて変換された画像データの階調特性の差異を吸収するため、あらかじめストロボのON/OFF、ISO感度の設定、撮影モードの設定ごとに複数の階調特性が記憶されているわけである。
【００１３】
ここで、デジタルカメラの階調特性とは、例えば図８に示す形式で記録されているものであり、デジタルカメラにより撮影される被写体の明度と、その被写体をデジタルカメラで撮影したときのデジタルカメラの出力値との関係を表すものである。本実施の形態では、被写体の明度と、その被写体をデジタルカメラで撮影し取得されたRGB３チャンネルからなる画像データを式(１)にて変換したYとの対応を表すテーブルをデジタルカメラの階調特性とする。
【００１４】
本実施例では、RGB形式の画像データから明度を抽出する方法として、YCCカラーベースを使用する。式（１）はRGBからYCCカラーベースへの変換式であり、これにより画像データのYCCカラーベースで値を算出し、そのうちのYを用いて階調特性の変換を行う。
【００１５】
この特性は、例えば無彩色のグレーチャートをデジタルカメラで撮影し、画像データを取得すると同時に、グレーチャートの各パッチにおける明度を測定器を用いて測定することによって得られる。なお、デジタルカメラの階調特性は前述したものだけに限らず、デジタルカメラにより撮影される被写体の輝度と、その被写体をデジタルカメラで撮影したときのデジタルカメラの出力値との関係を表すものであるならばどのような量であってもよい。また、例えばデジタルカメラにおけるCCDセンサの受光量やCCDセンサ面の照度などを何らかの手段により測定した測定値と、その測定値に対応する入力をデジタルカメラに与えたときのデジタルカメラの出力値(例えばRGB値の平均値など)との対応をとったものなどでもよい。
【００１６】
【数１】
2007159029.tif 000003
【００１７】
デジタルカメラの階調特性と同様に、画像データS0を印刷する際に使用するプリンタの種別、あるいはプリンタの印刷モードがユーザによりプリント情報入力部１０８にて選択される。プリント情報入力部１０８におけるプリンタ種別、印刷モードの選択は、例えば図１４に示すメニューにより行われる。ここで、メニュー１４０１はプリンタ種別を選択するメニューである。また、メニュー１４０２はメニュー１４０１にて選択されたプリンタ種別における印刷モードを選択するメニューであり、その項目はプリンタ種別により異なる。
【００１８】
プリンタ階調テーブル記憶部１０７にはあらかじめ複数のプリンタの種別、あるいはプリンタの印刷モードごとの階調特性が記憶されている。例えば図１４に示すプリンタＣの場合には、印刷用紙の設定、ハーフトーンの設定に応じて階調特性が異なり、これらの各設定に応じて印刷されるプリントの階調特性の差異を吸収するため、あらかじめ印刷用紙の設定、ハーフトーンの設定に応じて複数の階調特性が記憶されている。これらの階調特性の中からプリント情報入力部１０８にて選択されたプリンタの種別、あるいはプリンタの印刷モードの階調特性が記憶される。
【００１９】
ここで、プリンタの階調特性とは、例えば図９に示す形式で記録されているものであり、プリンタの入力値と、その入力値に対応するプリンタの出力値(プリントの明度)との関係を表すものである。本実施の形態では、プリンタに入力されるRGB３チャンネルからなる画像データを式(１)にて変換したYと、その入力に対応するプリンタの出力に相当する明度との対応を表すテーブルをプリンタの階調特性とする。この特性は、例えば公知のRGB３チャンネルからなるグレーチャート画像データ(各パッチにおけるRGB値が同一の0〜255までの値を割振ったデジタルデータである((0,0,0),(1,1,1),…(255,255,255))を作成し、プリンタで印刷し、各パッチの明度を測色器を用いて測定することにより得られる。この場合、作成したグレーチャート画像データにおける各パッチのRGB値を式(１)にて変換することにより得たYと、プリンタで印刷されたものを測定することにより得た各パッチの明度との対応がプリンタの階調特性となる。なお、プリンタの階調特性は前述したものだけに限らず、プリンタの入力値と、その入力値に対応するプリンタの出力との関係を表すものであればどのようなものであってもよい。例えば、プリンタの出力に対応する値を明度の変わりに濃度や反射率とすることもできる。
【００２０】
次に、撮影に使用したデジタルカメラや印刷に用いるプリンタに依存しない好ましい階調再現性を有する写真を取得するために画像データＳ０を変換するルックアップテーブルをテーブル作成部１０４にて作成する。このとき、テーブル作成情報記憶部１０５には、例えば図３に示すように、プリンタ機種や用紙の種別に依存する出力可能な明度の範囲（以降、出力レンジと称す）に対する被写体の撮影から出力までの全体を通しての総合的な階調特性である入出力総合階調特性の中間調の傾き（γ値）などがルックアップテーブルあるいは関数として記録されており、テーブル作成部１０４ではこのテーブル作成情報記憶部１０５に記憶されている情報にもとづき、ルックアップテーブルを作成する。以下、図２に従ってテーブル作成部１０４における処理を詳細に説明する。
【００２１】
図２はテーブル作成部１０４における処理の流れを示す図である。まず、ステップ１０１ではテーブル作成情報記憶部に記憶された情報にしたがって、出力レンジに応じた入出力総合階調特性の傾きを求め、メモリ１０９に記憶する。ここで、出力レンジとは、プリント情報入力部１０８によって選択されたプリンタ種別、あるいは用紙の種別に対応したプリンタの階調特性において、出力可能な明度の範囲を意味する。ステップ１０１では、この出力レンジを入力としてテーブル作成情報記憶部１０６に記憶されている特性にしたがって対応する入出力総合階調特性における中間調の傾きをもとめるのである。ここで、図３に示したように、テーブル作成情報記憶部１０５は光沢紙や無光沢紙などのカテゴリ別に異なる複数の特性（ルックアップテーブルあるいは関数）を記憶可能であり、プリント情報入力部１０８にて入力された情報により適切なカテゴリの特性が選択される。
【００２２】
次に、ステップ１０２にて入出力総合階調特性を自動的に設計し、メモリ１０９に記憶する。入出力総合階調特性とは、被写体の撮影から出力までの全体を通しての総合的な階調特性であり、ある明度をもつ被写体が、撮影され、プリントされた後に、どのような明度となってプリント上に再現されるべきかを表すものである。本実施の形態では、図７に示すように被写体の明度と、その明度に対応するプリンタの出力値(明度)との対応を表すテーブルにより入出力総合階調特性を表現する。ステップ１０２では、ステップ１０１にて求めた中間調の傾きをもつように入出力総合階調特性を設計するわけであるが、その方法については以降でのべる。なお、入出力総合階調特性はこれに限るものではなく、被写体の明度あるいはデジタルカメラにおけるCCDセンサ面の照度とプリンタの出力値との関係を表すものであればどのようなものであっても良い。ただし、被写体の明度に相当する量は、デジタルカメラの階調特性におけるデジタルカメラの入力値、または入力値から容易に相互変換できるものでなければならない。また、プリンタの出力値に相当する量は、プリンタの階調特性におけるプリンタの出力値、または容易に出力値に相互変換できるものでなければならない。
【００２３】
ステップ１０３では、ステップ１０２で設計された入出力総合階調特性を実現するため、画像データＳ０に施す変換のルックアップテーブルを作成する。ステップ１０３で作成されるルックアップテーブルを図１０に示す。図１２は、ルックアップテーブル作成を説明するためのフローチャートを示した図であり、図１１は、各テーブルの値からルックアップテーブルが作成される様子を示す図である。以下、図１１および図１２に従ってルックアップテーブルの作成方法について説明する。ここで、テーブル１１０１は図７に示した入出力総合階調特性、テーブル１１０２は図８に示したデジタルカメラの階調特性、テーブル１１０３は図９に示したプリンタの階調特性をそれぞれ表現したものであり、テーブル１１０４は図１０に示したルックアップテーブルである。ただし、テーブル１１０２のデジタルカメラの階調特性は、デジタルカメラの出力(D列)が０〜２５５までの全ての値(２５６点)をとるように線形補間あるいはスプライン曲線などによって補間されているものとする。
【００２４】
まず、入出力総合階調テーブル１１０１のA列に記録されている各値において、それぞれの値に最も近い値をデジタルカメラ階調テーブル１１０２におけるC列から検索し、その値と対であるD列の値をルックアップテーブル１１０４のG列に記録する（ステップ１２０１）。次に、同じく目標階調テーブル１１０１のB列に記録されている各値において、それぞれの値に最も近い値をプリンタ階調テーブル１１０３におけるF列から検索し、その値と対であるE列の値をルックアップテーブル１１０４のH列に記録する（ステップ１２０２）。最後に、ルックアップテーブル１１０４における入力(G列)が０〜２５５までの全ての値(２５６点)をとるように線形補間、あるいはスプライン曲線などによって補間処理を行い、ルックアップテーブル１１０４を作成する（ステップ１２０３）。
【００２５】
次に、階調変換部１０２において、画像入力部１０１から入力されたRGB３チャンネルからなる画像データS0は、ユーザが所望とする階調をもつプリントを実現するための同じくRGB３チャンネルからなる画像データS1に階調変換される。本実施の形態では、画像データS0におけるRGBデータを式(１)にて輝度YとCb、Crとからなるデータに変換し、輝度Yのみをテーブル作成部１０４にて作成されたルックアップテーブル１１０４を用いてテーブル変換する。その後、テーブル変換された輝度YとCb、Crとから式(２)により画像データS1のRGBにおける画像データを求める。
【００２６】
【数２】
2007159029.tif 000004
【００２７】
最後に、変換された画像データS1は、画像出力部１０９にて所定のプリンタの送られ、プリント情報入力部で入力された印刷モードで印刷される。もしくは、画像データS1をJPEGなどの所定形式によりPCのハードディスクなどの記憶媒体に記録させることも可能である。
【００２８】
図１５はテーブル編集部１１１におけるユーザインタフェースを示す図である。図１５に示すユーザインタフェースは、画像データＳ１を表示する画像データ表示部１８０１、テーブル作成情報記憶部１０５に記憶されている特性を示すテーブル作成情報表示部１８０２、テーブル作成部１０４にて作成するルックアップテーブルをユーザが調整するためのテーブル編集スライダ１８０５、およびテーブル編集つまみ１８０６、テーブル作成情報記憶部１０５に保存されている特性の更新を指示するテーブル作成情報更新ボタン１８０７、画像データ表示部１８０１に表示されている画像データＳ１を画像出力部１０３に送り、処理を終了するＯＫボタン１８０８、処理を中止するキャンセルボタン１８０９を備える。また、テーブル作成情報表示部１８０２において、テーブル作成特性１８０３は、例えば図３に示すテーブル作成情報記憶部１０５に記憶されている情報、あるいはユーザによって調整されたテーブル作成情報そのものを、テーブル作成特性制御点１８０４は、ユーザがテーブル作成特性１８０３を編集するために任意に指定したテーブル作成特性１８０３上の一点をそれぞれ表している。
【００２９】
ユーザは、画像データ表示部１８０１に表示された画像データＳ１をみながら、テーブル編集つまみ１８０６、あるいはテーブル作成特性制御点１８０４をマウスなどの入力デバイスを用いて調整する。テーブル編集つまみ１８０６は、テーブル編集スライダ１８０５上で動かすことが可能であり、ユーザがテーブル編集つまみ１８０６を動かすと、テーブル編集スライダ１８０５内でのテーブル編集つまみ１８０６の位置関係により入出力総合階調特性の中間調の傾きが決定される。また、テーブル作成特性制御点１８０４をユーザが動かした場合には、テーブル作成特性１８０３はテーブル作成特性制御点１８０４を通るように自動的に変更され、そのテーブル作成特性１８０３に従って入出力総合階調特性の中間調の傾きが決定される。入出力総合階調特性の中間調の傾きが決定すると、第１の実施の形態と同様に、入出力総合階調特性が自動設計され(図２ステップ１０２)、ルックアップテーブルが作成される(図２ステップ１０３)。そして、作成されたルックアップテーブルにもとづき、階調変換部１０２にて変換された画像データＳ１が画像表示部１８０１に表示される。
【００３０】
テーブル作成情報更新ボタン１８０７をユーザがマウス等の入力デバイスにより選択すると、テーブル作成情報記憶手段１０５にテーブル作成特性１８０３を保存する。また、ＯＫボタンをユーザが選択した場合には、画像データ表示部１８０１に表示されている画像データＳ１が画像出力部１０３に送られ、印刷、あるいは記憶媒体に保存された後、すべての処理が終了する。キャンセルボタン１８０９はユーザが処理を中止するためのボタンであり、キャンセルボタン１８０９をユーザが選択すると、テーブル作成特性１８０３の更新、画像出力部１０３への画像データＳ１の送信等の処理を行わず、終了する。
【００３１】
＜入出力総合階調特性の設計ステップ１０２の説明＞
図４は、入出力総合階調特性の設計を行うステップ１０２における処理の流れを示す図である。また、図５はステップ１０２において入出力総合階調特性を設計する上での基本特性を示しており、テーブル作成部１０４にあらかじめ記録されているものとする。この基本特性は、被写体の明度（横軸に相当）、およびプリントの明度（縦軸に相当）のとり得る範囲が０〜１の範囲になるよう正規化されおり、最小点（０,０）および最大点（１,１）を含む複数の点の集合により定義される。図５の例では、基本特性がＰ１〜Ｐ１０の計１０個の点で定義されており、Ｐ１が最大点、Ｐ１０が最小点にあたいする。以降、i番目の点をＰi、その座標を（xi,yi）と表記することとする。ただし、ｘiは点Ｐiにおける正規化被写体明度、yiは点Ｐiにおける正規化プリント明度である。以下、図４にしたがってステップ１０２の処理の流れを説明する。
【００３２】
まず、ステップ２０１では、基本特性における横軸および縦軸が、それぞれ被写体明度、プリント明度に対応するよう式(３)により線形に伸長する。
【００３３】
【数３】
2007159029.tif 000005
【００３４】
ここで、x'max 、x'minはそれぞれデジタルカメラの階調特性の入力に対応する被写体明度の最大値、最小値を、y'max 、y'minはそれぞれプリンタの階調特性の出力に対応するプリント明度の最大値、最小値を意味している。また、x'i 、y'iは入出力総合階調特性を定義する点の集合において、i番目の点P'iにおけるx座標、y座標をそれぞれ表している。
【００３５】
次に、ステップ２０２において、入出力総合階調特性の中間調の特性を決定する直線Ｌを式(４)により定義する。
【００３６】
【数４】
2007159029.tif 000006
【００３７】
式(４)において、γはステップ１０１にて決定された中間調の傾き、x'hc、y'hcは入出力総合階調特性の全ての点においてｘ座標の値がハイライトと中間調の境界としてあらかじめ決められている値x'mhに最も近い点Phcのｘ座標、ｙ座標をそれぞれ意味する。
【００３８】
ステップ２０３では、入出力総合階調特性におけるシャドウ部の修正をおこなうためのシャドウ補正係数Ｓを式(５)により算出する。
【００３９】
【数５】
2007159029.tif 000007
【００４０】
式(５)において、x'sc、y'scは入出力総合階調特性の全ての点においてｘ座標の値が中間調とシャドウの境界としてあらかじめ決められている値x'smに最も近い点Pscのｘ座標、ｙ座標をそれぞれ意味する。
【００４１】
最後に、ステップ２０４にて、中間調の傾きがγとなるように入出力総合階調特性を修正する。図６はステップ２０４における処理を説明する図である。図６において修正前として示した特性は、ステップ２０１にて求めた入出力総合階調特性Ｐ'iである。この修正前の特性を、中間調がステップ２０２にて定義した直線Ｌに沿うように変更し、修正後の特性を得る。このとき、シャドウは中間調の変更に応じて、シャドウ補正係数Ｓをかけることにより補正される。式(６)に入出力総合階調特性を修正する式を示す。
【００４２】
【数６】
2007159029.tif 000008
【００４３】
以上のように求めた入出力総合階調特性の各点Ｐ'iは例えば図７に示すテーブルとしてメモリ１０９に記憶される。また、入出力総合階調特性を求める方法は、上記で説明した方法に限らず、本実施の形態のように中間調の傾きを規定する場合には、中間調の傾きに対し一意に入出力総合階調特性が決定される方法であればどのような方法であってもよい。
【００４４】
（他の実施例）
本実施例は、デジタルカメラで撮影し、記録した画像データをパーソナルコンピュータ（PC）上で動作するアプリケーションプログラムで処理し、画像データを表示、変換するシステムに適用することができる。ここで、PCは、一般にＯＳやアプリケーション等のプログラムが動作するためのＣＰＵおよびＲＡＭを備え、画像データを入力するためのメモリカードあるいはＵＳＢ等の入力インタフェース、処理された画像データを出力するためのディスプレイまたはプリンタへのデータ出力インタフェースおよびユーザがアプリケーションに対し指示するためのキーボード等のユーザインタフェースを備える。
【００４５】
また、上記実施例では、デジタルカメラで取得した画像データを、プリンタで出力する画像処理システムを挙げたが、これに限るものではなく、例えば銀塩写真フィルムをスキャナ等でデジタル化し、モニタに表示する画像処理システムにも適用することができる。このとき、第１〜３の実施の形態におけるカメラ階調テーブルに記憶されるテーブルは、銀塩写真フィルムとスキャナの特性を合わせた被写体の明度とスキャン後のデジタルデータとの対応を表すテーブルとなり、またプリンタ階調テーブルに記憶されるテーブルは、モニタに出力するデジタルデータと、実際にモニタに表示された明度との対応を表すテーブルとなる。
【００４６】
さらに、上記実施例では、入出力総合階調特性における中間調の傾きをパラメータとして画像データの見えを調整する画像処理システムを挙げたが、これに限るものではなく、例えば画像の明るさ等をパラメータとして入出力総合階調特性を調整することも可能である。
【図面の簡単な説明】
【００４７】
【図１】本実施例の処理を示すブロック図である。
【図２】テーブル作成部における処理の流れを説明する図である。
【図３】テーブル作成情報を説明する図である。
【図４】入出力総合階調特性を設計する処理の流れを示す図である。
【図５】基本特性を説明する図である。
【図６】入出力総合階調特性を設計する処理を説明する図である。
【図７】入出力総合階調テーブルを示す図である。
【図８】カメラ階調テーブルを示す図である。
【図９】プリンタ階調テーブルを示す図である。
【図１０】階調変換に使用されるルックアップテーブルを示す図である。
【図１１】各テーブルの値からルックアップテーブルが作成される様子を示す図である。
【図１２】ルックアップテーブル作成を説明するための流れ図である。
【図１３】デジタルカメラ種別および撮影モードを選択するメニューの例を示す図である。
【図１４】プリンタ種別および印刷モードを選択するメニューの例を示す図である。
【図１５】テーブル編集部におけるユーザインタフェースを説明する図である。
【図１】
2007159029.tif 000009
【図２】
2007159029.tif 000010
【図３】
2007159029.tif 000011
【図４】
2007159029.tif 000012
【図５】
2007159029.tif 000013
【図６】
2007159029.tif 000014
【図７】
2007159029.tif 000015
【図８】
2007159029.tif 000016
【図９】
2007159029.tif 000017
【図１０】
2007159029.tif 000018
【図１１】
2007159029.tif 000019
【図１２】
2007159029.tif 000020
【図１３】
2007159029.tif 000021
【図１４】
2007159029.tif 000022
【図１５】
2007159029.tif 000023